(57)【要約】【課題】本発明は防草マットに関し、道路と歩道との境界、また、道路もしくは歩道と、道路もしくは歩道の付帯物との境界における間隙が変化しても雑草が生えるのを容易かつ確実に防止し、施工性が良く、構造が簡単で製作コストが安価な用途・機能に適する。【解決手段】弾性材にて長尺状にマット本体１が形成され、マット本体が、垂直方向Ｚに設けた埋込脚部２と埋込脚部の上端２ａの一側に水平方向Ｘに設けた頭頂シール部３ａとにより断面略Ｌ字形に構成され、埋込脚部が道路４と歩道５との境界Ｋに挿着可能に設けられ、頭頂シール部３が境界の一側上面に接設され、埋込脚部の他側には舗装係止部６が幅方向Ｗに突設され、舗装係止部が、道路もしくは歩道に打設、敷設されたアスファルト、コンクリートよりなる舗装材７に係止可能に埋設され、舗装係止部が、埋込脚部と舗装材との間に形成される間隙Ｔをシール可能に設ける。【選択図】図１
2011052510.tif 000002
【特許請求の範囲】
【請求項１】
弾性材により長尺状にマット本体が形成され、
前記マット本体が、垂直方向に設けられた埋込脚部と前記埋込脚部の上端の一側に水平方向に設けられた頭頂シール部とにより断面略Ｌ字形に構成され、
前記埋込脚部が道路と歩道との境界、または、道路もしくは歩道と、道路もしくは歩道の付帯物との境界に挿着可能に設けられ、
前記頭頂シール部が前記境界の一側上面に接設され、
前記埋込脚部の他側には舗装係止部が幅方向に突設され、
前記舗装係止部が、前記道路もしくは前記歩道に打設されるか、または前記道路もしくは前記歩道に敷設されたアスファルトもしくはコンクリートよりなる舗装材に係止可能に埋設されるとともに、前記舗装係止部が、前記埋込脚部と前記舗装材との間に形成される間隙をシール可能に設けられている
ことを特徴とする防草マット。
【請求項２】
前記舗装係止部が、前記頭頂シール部の設置側とは反対側に膨らんでその内部には内空部を有する断面略半円形に構成されることを特徴とする請求項１に記載の防草マット。
【請求項３】
前記舗装係止部が、前記頭頂シール部の設置側とは反対側に、前記舗装材に係止可能な係止部を先端に有し、前記埋込脚部の略中程から斜め上方に向かい突設されていることを特徴とする請求項１に記載の防草マット。
【請求項４】
前記舗装係止部が、前記埋込脚部の上端より僅かに低位にその上端が連設され、前記舗装材に所望厚さ前記舗装係止部が埋設されることを特徴とする請求項２に記載の防草マット。
【請求項５】
前記埋込脚部には、少なくとも前記頭頂シール部の設置側に接着層が設けられていることを特徴とする請求項１−４の何れか１項に記載の防草マット。
【発明の詳細な説明】
【技術分野】
【０００１】
本発明は防草マットに関し、例えば道路と歩道の境界、または、道路もしくは歩道と、道路もしくは歩道の付帯物との境界に無用の雑草が生えるのを防止し、施工を効率的に行えるようにするものである。
【背景技術】
【０００２】
従来、舗装道路の防草構造には、舗装用合材層の直下に水平方向に防草シートを敷設し、この防草シートの少なくとも一方の端部を縦方向に曲折し、その先端が少なくとも舗装道路の表面まで達するようにしたものがある。そして、この舗装道路の防草構造は、舗装道路の端部から雑草が舗装用合材層に貫入されるのを防ぎ、雑草が生育されることにより道路がひび割れたり、剥離するのを防止するものであった（例えば、特許文献１参照）。
【先行技術文献】
【特許文献】
【０００３】
【特許文献１】実開平４−１１２９２３号公報
【発明の概要】
【発明が解決しようとする課題】
【０００４】
ところで、特許文献１に記載の上記従来の舗装道路の防草構造は、防草シートの端部が縦方向に曲折りされる舗装用合材層の付合わせ部分の間隙に風雨により雑草の種子が入り込み、生育する。そして、雑草がこの間隙内に一度根付いてしまうと、陽光を浴びることによりでんぷんが光合成されてでんぷん同化作用が活性化され、雑草は成長してしまう。このため、雑草は蔓延り、歩行者は歩行の邪魔になり、景観も損ねる原因にもなっていた。そして、成長した雑草を除草するのには、雑草の根が舗装用合材層の付合わせ部分の間隙内に深く入り込んで生育されるので、除草作業に多くの時間と手間がかかり、一苦労であった。
【０００５】
また、特許文献１に記載の上記従来の舗装道路の防草構造では、防草シートの端部が縦方向に曲折りされる舗装用合材層の付合わせ部分の間隙は、コンクリートやアスファルトよりなる舗装用合材層が、夏期の高温下、または冬期の低温下での外気の温度変化による影響を受けて膨張または収縮することにより、徐徐に開いてしまうので、雑草が益々繁殖する原因になっていた。
【０００６】
本発明は上記従来の問題点を解決するとともに、道路と歩道との境界、または、道路もしくは歩道と、道路もしくは歩道の付帯物との境界における間隙の幅が変化しても雑草が生えるのを容易かつ確実に防止し、また、施工性が良く、構造が簡単で製作コストが安価な防草マットを提供することを目的とする。
【課題を解決するための手段】
【０００７】
本発明は上記課題に鑑みてなされ請求項１に記載の発明は、
弾性材により長尺状にマット本体が形成され、
前記マット本体が、垂直方向に設けられた埋込脚部と前記埋込脚部の上端の一側に水平方向に設けられた頭頂シール部とにより断面略Ｌ字形に構成され、
前記埋込脚部が道路と歩道との境界、または、道路もしくは歩道と、道路もしくは歩道の付帯物との境界に挿着可能に設けられ、
前記頭頂シール部が前記境界の一側上面に接設され、
前記埋込脚部の他側には舗装係止部が幅方向に突設され、
前記舗装係止部が、前記道路もしくは前記歩道に打設されるか、または前記道路もしくは前記歩道に敷設されたアスファルトもしくはコンクリートよりなる舗装材に係止可能に埋設されるとともに、前記舗装係止部が、前記埋込脚部と前記舗装材との間に形成される間隙をシール可能に設けられていることを特徴とする。
【０００８】
また、本発明の請求項２に記載の発明は、請求項１において、前記舗装係止部が、前記頭頂シール部の設置側とは反対側に膨らんでその内部には内空部を有する断面略半円形に構成されることを特徴とする。
【０００９】
また、本発明の請求項３に記載の発明は、請求項１において、前記舗装係止部が、前記頭頂シール部の設置側とは反対側に、前記舗装材に係止可能な係止部を先端に有し、前記埋込脚部の略中程から斜め上方に向かい突設されていることを特徴とする。
【００１０】
また、本発明の請求項４に記載の発明は、請求項２において、前記舗装係止部が、前記埋込脚部の上端より僅かに低位にその上端が連設され、前記舗装材に所望厚さ前記舗装係止部が埋設されることを特徴とする。
【００１１】
また、本発明の請求項５に記載の発明は、請求項１−４の何れか１項において、前記埋込脚部には、少なくとも前記頭頂シール部の設置側に接着層が設けられていることを特徴とする。
【発明の効果】
【００１２】
本発明の請求項１に記載の発明によれば、弾性材により長尺状にマット本体が形成され、前記マット本体が、垂直方向に設けられた埋込脚部と前記埋込脚部の上端の一側に水平方向に設けられた頭頂シール部とにより断面略Ｌ字形に構成され、前記埋込脚部が道路と歩道との境界、または、道路もしくは歩道と、道路もしくは歩道の付帯物との境界における間隙に挿着可能に設けられ、前記頭頂シール部が前記境界の一側上面に接設され、前記埋込脚部の他側には舗装係止部が幅方向に突設され、前記舗装係止部が、前記道路もしくは前記歩道に打設されるか、または前記道路もしくは前記歩道に敷設されたアスファルトもしくはコンクリートよりなる舗装材に係止可能に埋設されるとともに、前記舗装係止部が、前記埋込脚部と前記舗装材との間に形成される間隙をシール可能に設けられているので、道路と歩道との境界、または、道路もしくは歩道と、道路もしくは歩道の付帯物との境界における間隙にマット本体を取付けるのには、まず、道路と歩道との境界、または、道路もしくは歩道と、道路もしくは歩道の付帯物との境界における敷設部分にカッタを用いて数ｍｍ〜１ｃｍ程度の小幅であり、かつ深さ数ｃｍの間隙を形成する。また、舗装を新設する場合には、前述のように、カッタを用いて前記間隙を必ずしも形成するには及ばず舗装個所は掘り起こされた状態である。そして、前記間隙、または新設の掘り起こし個所内にマット本体の垂直方向に設けられた埋込脚部を挿着し、前記埋込脚部の上端一側に水平方向に設けられた頭頂シール部が道路と歩道との境界、または、道路もしくは歩道と、道路もしくは歩道の付帯物との境界の何れかに接設されるとともに、埋込脚部の他側に幅方向に突設された舗装係止部が、前記道路もしくは前記歩道に打設されるか、または道路もしくは歩道に敷設されたアスファルトもしくはコンクリートよりなる舗装材内に埋設される。そして、道路と歩道との境界、または、道路もしくは歩道と、道路もしくは歩道の付帯物との境界における付合わせ部分の間隙に、風雨により雑草の種子が入り込むのを垂直方向に挿着された前記埋込脚部と、この埋込脚部の上端一側に水平方向に設けられた前記頭頂シール部と、前記埋込脚部の他側に幅方向に突設されて舗装材内に埋込まれた前記舗装係止部とにより防止される。仮に、雑草の種子がこの間隙内に入ることがあっても、前記頭頂シール部と、前記舗装係止部とに遮光されることにより光合成されるのが邪魔されるので、雑草は生育することはなく、除草作業を行わなくても済み、歩行者の歩行の邪魔になったり、景観を損ねることもない。
【００１３】
また、頭頂脚部の他側に突設された前記舗装係止部が、前記道路もしくは前記歩道に打設されるか、または道路もしくは歩道に敷設されたアスファルト、或いはコンクリートよりなる舗装材に埋設されることにより、舗装材と舗装係止部とは係止されるので、コンクリートやアスファルトよりなる舗装材が、夏期の高温下、または冬期の低温下での外気の温度変化による影響を受けて膨張または収縮して、道路と歩道との境界、または、道路もしくは歩道と、道路もしくは歩道の付帯物との境界における付合わせ部分の間隙が、徐徐に開いてしまうことがあっても、舗装材に舗装係止部が係止されることにより、前記舗装係止部が、前記舗装材とは分離せずに、その間に形成される間隙をシールし、遮光されるため、雑草が光合成されて繁殖するのが容易かつ確実に防止される。また、前述のように、道路と歩道との境界、または、道路もしくは歩道と、道路もしくは歩道の付帯物との境界に断面略Ｌ字形をなすマット本体の垂直方向に設けられた埋込脚部を挿着し、前記埋込脚部の上端一側に水平方向に設けられた頭頂シール部は道路と歩道との境界、または、道路もしくは歩道と、道路もしくは歩道の付帯物との境界の何れかに接設され、埋込脚部の他側に幅方向に突設された舗装係止部は、前記道路もしくは前記歩道に打設されるか、または前記道路もしくは前記歩道に敷設されたアスファルトもしくはコンクリートよりなる舗装材に埋設されるという簡易な取扱い操作により施工が効率的に行われる。従って、構造が簡単で製作コストが安価になる。
【００１４】
また、本発明の請求項２に記載の発明によれば、請求項１において、前記舗装係止部が、前記頭頂シール部の設置側とは反対側に膨らんでその内部には内空部を有する断面略半円形に構成されるので、道路と歩道との境界、または、道路もしくは歩道と、道路もしくは歩道の付帯物との境界における間隙にマット本体を取付けるのには、まず、道路と歩道との境界、または、道路もしくは歩道と、道路もしくは歩道の付帯物との境界における敷設部分にカッタを用いて数ｍｍ〜１ｃｍ程度の小幅であり、かつ深さ数ｃｍの間隙を形成する。また、舗装を新設する場合には、前述のように、カッタを用いて前記間隙を必ずしも形成するには及ばず、舗装個所は掘り起こされた状態である。そして、前記間隙、または新設の掘り起こし個所内にマット本体の垂直方向に設けられた埋込脚部を挿着すると、埋込脚部の他側に幅方向に突設された舗装係止部は、前記道路もしくは前記歩道に打設されるか、または前記道路もしくは前記歩道に敷設されたアスファルトもしくはコンクリートよりなる舗装材に埋設されるため、道路と歩道との境界、または、道路もしくは歩道と、道路もしくは歩道の付帯物との境界における付合わせ部分の間隙に、風雨により雑草の種子が入り込むのを埋込脚部の他側に幅方向に突設された断面略半円形の舗装係止部により確実に防止される。そして、雑草の種子が前記間隙内に入り、光合成により、雑草は生育することはなく、除草作業を行わなくても済み、歩行者の歩行の邪魔になったり、景観を損ねることもない。
【００１５】
また、埋込脚部の他側に幅方向に突設された舗装係止部が、前記道路もしくは前記歩道に打設されるか、または前記道路もしくは前記歩道に敷設されたアスファルトもしくはコンクリートよりなる舗装材に埋設されて係止されるので、コンクリートやアスファルトよりなる舗装材が、夏期の高温下、または冬期の低温下での外気の温度変化による影響を受けて膨張または収縮して、道路と歩道との境界、または、道路もしくは歩道と、道路もしくは歩道の付帯物との境界における付合わせ部分の間隙が、徐徐に開いてしまうことがあっても、前記舗装材に断面略半円形の舗装係止部が摩擦係合して係止され、舗装係止部が前記間隙が開くのに応じて弾性復元力により復元し、伸長されることにより、前記舗装係止部が、前記埋込脚部と前記舗装材との間に形成される間隙をシールし、遮光されるため、雑草が繁殖するのが容易かつ確実に防止されるとともに、舗装係止部の抜け出しは防止される。そして、前記舗装係止部は内部に内空部を有する断面略半円形に形成されているので、この内空部が耐圧力を発揮し、緩衝性を発揮するとともに、弾性材により形成されて垂直方向に設けられた舗装係止部が弾性力を発揮することにより、道路と歩道等の前記境界において前記舗装係止部の上面に打設されるか、敷設されたコンクリートやアスファルトよりなる舗装材の境界側の端部が外力を受けることにより、ひび割れを生じたり、損壊が防止され、構造的に強固になる。
【００１６】
また、前述のように道路と歩道との境界、または、道路もしくは歩道と、道路もしくは歩道の付帯物との境界における敷設部分にカッタを用いて数ｍｍ〜１ｃｍ程度の小幅であり、かつ深さ数ｃｍに形成された間隙内、また、舗装を新設する場合には、前述のように、カッタを用いて前記間隙を必ずしも形成するには及ばず、舗装個所は掘り起こされた状態の掘り起こし個所内に挿着された断面略Ｌ字形のマット本体の垂直方向に設けられた埋込脚部の他側に幅方向に突設された断面略半円形の舗装係止部は、前記道路もしくは前記歩道に打設されるか、または前記道路もしくは前記歩道に敷設されたアスファルトもしくはコンクリートよりなる舗装材に埋設されるという簡易な取扱いにより施工が行われ、垂直方向に設けられた埋込脚部および頭頂シール部よりなるマット本体により、道路と歩道との境界、または、道路もしく隅切り作業が簡略化され、綺麗な仕上がりに施工が行われる。従って、構造が簡単で製作コストが安価になる。
【００１７】
また、本発明の請求項３に記載の発明によれば、請求項１において、前記舗装係止部が、前記頭頂シール部の設置側とは反対側に、前記舗装材に係止可能な係止部を先端に有し、前記埋込脚部の略中程から斜め上方に向かい突設されているので、道路と歩道との境界、または、道路もしくは歩道と、道路もしくは歩道の付帯物との境界における間隙にマット本体を取付けるのには、まず、道路と歩道との境界、または、道路もしくは歩道と、道路もしくは歩道の付帯物との境界における敷設部分にカッタを用いて数ｍｍ〜１ｃｍ程度の小幅であり、かつ深さ数ｃｍの間隙を形成する。そして、この間隙内また、舗装を新設する場合には、前述のように、カッタを用いて前記間隙を必ずしも形成するには及ばず、掘り起こされた状態の掘り起こし個所内にマット本体の垂直方向に設けられた埋込脚部を挿着し、頭頂シール部の設置側とは反対側に埋込脚部の略中程から斜め上方に向かい突設された舗装係止部は、前記道路もしくは前記歩道に打設されるか、または前記道路もしくは前記歩道に敷設されたアスファルトもしくはコンクリートよりなる舗装材に埋設されるため、道路と歩道との境界、または、道路もしくは歩道と、道路もしくは歩道の付帯物との境界における付合わせ部分の間隙に、風雨により雑草の種子が入り込むのを埋込脚部に頭頂シール部の設置側とは反対側に略中程から斜め上方に向かい突設された舗装係止部により防止される。そして、雑草の種子が光合成されて生育することはないため、除草作業を行わなくても済み、歩行者の歩行の邪魔になったり、景観を損ねることもない。
【００１８】
また、頭頂脚部の他側に突設された舗装係止部が、前記道路もしくは前記歩道に打設されるか、または道路もしくは歩道に敷設されたアスファルトもしくはコンクリートよりなる舗装材に埋設されて係止されるので、コンクリートやアスファルトよりなる舗装材が、夏期の高温下、または冬期の低温下での外気の温度変化の影響を受けて膨張または収縮して、道路と歩道との境界、または、道路もしくは歩道と、道路もしくは歩道の付帯物との境界における付合わせ部分の間隙が徐徐に開いてしまうことがあっても、舗装係止部が前記舗装材に係止されるため、舗装係止部が前記間隙が開くのに応じて弾性復元力を発揮し、伸長されることにより、前記舗装係止部が、前記埋込脚部と前記舗装材との間に形成される間隙をシールし、遮光されるため、雑草が繁殖するのを容易かつ確実に防止される。この時、舗装材の境界に接する側の端部は、舗装材が固化されることにより頭頂シール部の設置側とは反対側に埋込脚部の略中程から斜め上方に向かい突設された舗装係止部に囲まれる断面略Ｖ字状の食い込み部が舗装係止部に係止されるとともに、該舗装係止部の先端に形成される係止部が舗装材に係止されるので、舗装材に対する舗装係止部の係止は強固かつ確実になる。
【００１９】
また、道路と歩道との境界、または、道路もしくは歩道と、道路もしくは歩道の付帯物との境界にマット本体の垂直方向に設けられた埋込脚部の他側に幅方向に突設された舗装係止部は、前記道路もしくは前記歩道に打設されるか、または道路もしくは歩道に敷設されたアスファルトもしくはコンクリートよりなる舗装材に埋設されるという簡易な取扱いにより施工が効率的に行われる。従って、構造が簡単で製作コストが安価になる。
【００２０】
また、本発明の請求項４に記載の発明によれば、請求項２において、前記舗装係止部が、前記埋込脚部の上端より僅かに低位にその上端が連設され、前記舗装材に所望厚さ前記舗装係止部が埋設されるので、頭頂シール部の設置側とは反対側に膨らんでその内部には内空部を有する断面略半円形に構成される舗装係止部は、前記道路もしくは前記歩道に打設されるか、または前記道路もしくは前記歩道に敷設されたアスファルトもしくはコンクリートよりなる舗装材に前記埋込脚部の上端より僅かに低位に埋設される。従って、道路と歩道との境界、または、道路もしくは歩道と、道路もしくは歩道の付帯物との境界における付合わせ部分の間隙に、風雨により雑草の種子が入り込むのを埋込脚部に頭頂シール部の設置側とは反対側に埋込脚部の上端より僅かに低位にその上端が連設された舗装係止部により防止することができる。そして、雑草の種子が光合成されて生育することはないため、除草作業を行わなくても済み、歩行者の歩行の邪魔になったり、景観を損ねることもない。
【００２１】
また、本発明の請求項５に記載の発明によれば、請求項１−４の何れか１項において、前記埋込脚部には、少なくとも前記頭頂シール部の設置側に接着層が設けられているので、道路と歩道との境界、または、道路もしくは歩道と、道路もしくは歩道の付帯物との境界にマット本体の垂直方向に設けられた埋込脚部を挿着した場合に、接着層が前記境界に接着されることにより、埋込脚部は構造的に強固に境界に固定される。
【図面の簡単な説明】
【００２２】
【図１】図１は本発明の防草マットの実施形態１の施工状態を示す断面図である。
【図２】図２は同じく実施形態１を構成するマット本体を示す断面図である。
【図３】図３は同じく第２施工例を示す断面図である。
【図４】図４は同じく第３施工例を示す断面図である。
【図５】図５は同じく第４施工例を示す断面図である。
【図６】図６は同じく第５施工例を示す断面図である。
【図７】図７は同じく本発明の防草ブロックの実施形態２を示す断面図である。
【図８】図８は同じく本発明の防草ブロックの実施形態３を示す断面図である。
【発明を実施するための形態】
【００２３】
以下、図面に従って本発明を実施するための最良の形態ににつき、詳細に説明する。
【００２４】
＜実施形態１＞
本実施形態は、弾性材により長尺状にマット本体１が形成され、前記マット本体１が、垂直方向Ｚに設けられた埋込脚部２と前記埋込脚部２の上端２ａの一側に水平方向Ｘに設けられた頭頂シール部３とにより断面略Ｌ字形に構成され、前記埋込脚部２が道路４と歩道５との境界Ｋに挿着可能に設けられ、前記頭頂シール部３が前記境界Ｋの一側上面に接設され、前記埋込脚部２の他側には舗装係止部６が幅方向Ｗに突設され、前記舗装係止部６が、前記道路４もしくは前記歩道５に打設されたアスファルトもしくはコンクリートよりなる舗装材７に係止可能に埋設されるとともに、前記舗装係止部６が、前記埋込脚部２と前記舗装材７との間に形成される間隙Ｔをシール可能に設けられていることを特徴とする。
【００２５】
この実施形態１では、道路４と歩道５との境界Ｋに敷設する場合につき代表的な例示として説明を行うけれども、本発明はこれに限ることなく、道路４もしくは歩道５と、道路４もしくは歩道５の付帯物との間に形成される間隙Ｔをシール可能に設ける場合も本発明の適用範囲である。
【００２６】
前記マット本体１が形成されるのに使用される弾性材としては、例えばゴムまたは合成樹脂が使用され、マット本体１の長さは、例えば１０〜２０ｍの範囲である。
【００２７】
前記舗装係止部６が、前記頭頂シール部３の設置側とは反対側に膨らんでその内部には内空部６ａを有する断面略半円形に構成される。
【００２８】
８は接着層であり、この接着層８は本実施形態１では、前記埋込脚部２に、少なくとも前記頭頂シール部３の設置側に設けられ、道路４と歩道５との境界Ｋにマット本体１の垂直方向Ｚに設けられた埋込脚部２を挿着した場合に、接着層８が前記境界Ｋに接着されることにより、埋込脚部２は構造的に強固に固定される。この接着層８は、図示する本実施形態１では少なくとも前記頭頂シール部３の設置側に設けられたものが示されているが、図には示さないが、これに限らず、頭頂シール部３の下面に設けてもよい。そして、この接着層８は剥離紙を備えた両面粘着テープを用いたり、接着剤を用いることにより容易に達成される。
【００２９】
本実施形態１の防草マットは以上のような構成からなり、弾性材により長尺状をなし、
マット本体１の垂直方向Ｚに設けられた埋込脚部２と前記埋込脚部２の上端２ａの一側に水平方向Ｘに設けられた頭頂シール部３ａとによりマット本体１が断面略Ｌ字形をなし、前記埋込脚部２の他側には断面略半円状の舗装係止部６が幅方向Ｗに突設されているので、道路４と歩道５との境界Ｋにマット本体１を取付けるには、例えば道路４と歩道５との境界Ｋにおける敷設部分にカッタを用いて数ｍｍ〜１ｃｍ程度の小幅であり、かつ深さ数ｃｍの間隙Ｔを形成する。また、舗装を新設する場合には、前述のように、カッタを用いて前記間隙Ｔを必ずしも形成するには及ばず、舗装個所は掘り起こされた状態である。そして、前記間隙Ｔ、または新設の掘り起こし個所内に内にマット本体１の垂直方向Ｚに設けられた埋込脚部２を道路４と歩道５との境界Ｋに挿着すると、前記埋込脚部２の上端２ａの一側に水平方向Ｘに設けられた頭頂シール部３は道路４と歩道５との境界Ｋの一側上面に接設される。
【００３０】
この際、本実施形態１の防草マットでは、前記埋込脚部２に、少なくとも前記頭頂シール部３の設置側に接着層８が設けられているので、コンクリートまたはアスファルトよりなる道路４と歩道５との境界Ｋにマット本体１の垂直方向Ｚに設けられた埋込脚部２を挿着した場合に、接着層８が前記境界Ｋに接着されることにより、埋込脚部２は構造的に強固に固定される。
【００３１】
また、埋込脚部２の前記頭頂シール部３の設置側とは反対側に幅方向Ｗに膨らんで内空部６ａを有する断面略半円形の舗装係止部６は、前記道路４もしくは前記歩道５に打設されるか、または道路４もしくは歩道５に敷設されたアスファルトもしくはコンクリートよりなる舗装材７に埋設される。
【００３２】
このため、図１に示すように、道路４と歩道５との境界Ｋにおける付合わせ部分の間隙Ｔに、風雨により雑草の種子が入り込むのが、垂直方向Ｚに設けられた埋込脚部２と、この埋込脚部２の上端２ａの一側に水平方向Ｘに設けられた頭頂シール部３と、前記埋込脚部２の他側に幅方向Ｗに突設されて前記道路４と、前記歩道５とに打設されるか、または道路４と、前記歩道５とに敷設されたアスファルトもしくはコンクリートよりなる舗装材７に埋設された断面略半円形の舗装係止部６とにより防止される。仮に、雑草の種子がこの間隙Ｔ内に入り、発芽されることがあっても、前記頭頂シール部３と、埋込脚部２と、前記舗装係止部６とに遮光されて光合成が邪魔されるので、雑草は生育することはないため、除草作業を行わなくても済み、歩行者の歩行の邪魔になったり、景観を損ねることもない。
【００３３】
また、道路４もしくは歩道５に打設されるか、または道路４もしくは歩道５に敷設されたアスファルトもしくはコンクリートよりなる舗装材７に埋込脚部２の他側に突設された断面略半円形の舗装係止部６は埋設されることにより、舗装係止部６は舗装材７に摩擦係合力により係止されるので、コンクリートやアスファルトよりなる舗装材７が、夏期の高温下、または冬期の低温下での外気の温度変化による影響を受けて膨張したり、または収縮するのに応じて、道路４と歩道５との間の間隙Ｔが徐徐に開くことがあっても、前記舗装材７に断面略半円形の舗装係止部６が摩擦、係合して係止され、舗装係止部６が前記間隙Ｔが開くのに応じて弾性復元力により復元し、伸長されることにより、前記舗装係止部６が、前記埋込脚部２と前記舗装材７との間に形成される間隙Ｔをシールし、遮光されるため、雑草の種子が何らかの理由で道路４と歩道５との境界Ｔに入りこむ事態があっても、雑草が繁殖するのを容易かつ確実に防止することができる。また、舗装係止部６は断面略半円形に形成されているので、道路４もしくは歩道５に敷設されたアスファルトもしくはコンクリートよりなる舗装材７に対して強固に摩擦、係合することにより、舗装係止部６の抜け出しは確実に防止される。
【００３４】
そして、前記舗装係止部６は内部に内空部６ａを有する断面略半円形に形成されているので、この内空部６ａが耐圧力を発揮し、緩衝性を発揮するとともに、弾性材により形成されて垂直方向Ｚに設けられた舗装係止部６が弾性力を発揮することにより、道路４と歩道５の前記境界Ｋにおいて前記舗装係止部６の上面に打設されるか、敷設されたコンクリートやアスファルトよりなる舗装材７の境界Ｋ側の端部Ｓが外力を受けることにより、ひび割れを生じたり、損壊が防止され、構造的に強固になる。
【００３５】
また、本実施形態の防草マットを道路４と歩道５との境界Ｋに取付けて施工をするには、前述のように、まず、道路４と歩道５との境界Ｋにおける敷設部分にカッタを用いて数ｍｍ〜１ｃｍ程度の小幅であり、かつ深さ数ｃｍの間隙Ｔを形成する。また、舗装を新設する場合には、前述のように、カッタを用いて前記間隙Ｔを必ずしも形成するには及ばず舗装個所は掘り起こされた状態である。そして、前記間隙Ｔ、または新設の掘り起こし個所内に断面略Ｌ字形をなすマット本体１の垂直方向Ｚに設けられた埋込脚部２を挿着することにより、埋込脚部２の上端２ａの一側に水平方向Ｘに設けられた頭頂シール部３は、道路４もしくは歩道５の境界Ｋの一側上面に接設され、また、埋込脚部２の他側に幅方向Ｗに突設された舗装係止部６は、前記道路４もしくは前記歩道５に打設されるか、または道路４もしくは歩道５に敷設されたアスファルトもしくはコンクリートよりなる舗装材７に埋設されるという簡易な取扱いにより道路４もしくは歩道５の境界Ｋに取付施工が行われるので、マット本体１の頭頂シール部３が、道路４と歩道５との境界の上面に露呈されることにより、隅切り作業が簡略化され、効率的に施工が行われ、綺麗な仕上がりに施工が行われる。従って、工事費は廉価であり、構造が簡単であるので、製作コストが安価になる。
【００３６】
＜第２施工例＞
図３は本実施形態の防草マットの他の施工例を示すものであり、本施工例では、道路４もしくは歩道５と、道路４もしくは歩道５の付帯物２０、例えば側溝ブロック２０Ａや縁石ブロック２０Ｂの境界Ｋ,Ｋにおける敷設部分に本実施形態の防草マットを取付け、施工するには、先ず、道路４もしくは歩道５と、道路４もしくは歩道５の付帯物２０、例えば側溝ブロック２０Ａや縁石ブロック２０Ｂの境界Ｋ,Ｋにカッタを用いて形成された数ｍｍ〜１ｃｍ程度の小幅であり、かつ数ｃｍの深さの間隙Ｔ内、また、舗装を新設する場合には、前述のように、カッタを用いて前記間隙Ｔを必ずしも形成するには及ばず、掘り起こされた状態の舗装個所内に、断面略Ｌ字状をなすマット本体１の垂直方向Ｚに設けられた埋込脚部２を挿着することにより、この埋込脚部２の上端２ａの一側に水平方向Ｘに設けた頭頂シール部３を道路４もしくは歩道５の上面に接設し、そして、前記埋込脚部２の他側に幅方向Ｗに突設された断面略半円形の舗装係止部６を道路４もしくは歩道５に打設されるか、または道路４もしくは歩道５に敷設されたアスファルトもしくはコンクリートよりなる舗装材７に埋設したことにより、道路４もしくは歩道５と、道路４もしくは歩道５の付帯物２０、例えば側溝ブロック２０Ａや縁石ブロック２０Ｂとの境界Ｋ,Ｋにおける間隙Ｔに種子が入るのが防止されるとともに、仮に間隙Ｔに種子が入った場合に、埋込脚部２と、頭頂シール部３と、舗装係止部６とにより遮光されて雑草が光合成により発育されるのを防止できるほか、前記説明と同様の構成、作用である。
【００３７】
＜第３施工例＞
図４は本実施形態の防草マットの第３施工例を示すものであり、本施工例では、道路４もしくは歩道５と、道路４もしくは歩道５の付帯物２０、例えばガードレールまたは中央分離帯の基礎ブロック２０Ｃとの境界Ｋにカッタを用いて形成された数ｍｍ〜１ｃｍ程度の小幅であり、かつ数ｃｍの深さの間隙Ｔ内に、また、舗装を新設する場合には、前述のように、カッタを用いて前記間隙Ｔを必ずしも形成するには及ばず、掘り起こされた状態の舗装個所内に、断面略Ｌ字状をなすマット本体１の垂直方向Ｚに設けられた埋込脚部２を挿着することにより、この埋込脚部２の上端２ａの一側に水平方向Ｘに設けた頭頂シール部３を道路４、または歩道５の上面に接設し、前記埋込脚部２の他側に幅方向Ｗに突設された断面略半円形の舗装係止部６を道路４もしくは歩道５に打設されるか、または道路４もしくは歩道５に敷設されたアスファルトもしくはコンクリートよりなる舗装材７に埋設したことにより、間隙Ｔに種子が入るのが防止されるとともに、仮に間隙Ｔに種子が入った場合に、埋込脚部２と、頭頂シール部３と、舗装係止部６とにより遮光して雑草が光合成により発育されるのを防止するという、前記説明と同様の構成、作用である。
【００３８】
＜第４施工例＞
また、図５に示すものは防草マットの第４施工例を示すものであり、本施工例では、道路４もしくは歩道５と、道路４もしくは歩道５の付帯物２０が、例えばエプロンブロック２０Ｄである場合に、このエプロンブロック２０Ｄとの境界Ｋに、本実施形態の防草マットを取付けるのには、断面略Ｌ字状をなすマット本体１の埋込脚部２を道路４もしくは歩道５と、道路４もしくは歩道５の付帯物２０との境界Ｋにカッタを用いて形成された数ｍｍ〜１ｃｍ程度の小幅であり、かつ数ｃｍの深さの間隙Ｔ内に、また、舗装を新設する場合には、前述のように、カッタを用いて前記間隙Ｔを必ずしも形成するには及ばず、掘り起こされた状態の舗装個所内に、挿着することにより、この埋込脚部２の上端２ａの一側に水平方向Ｘに設けた頭頂シール部３を道路４、または歩道５の上面に接設し、前記埋込脚部２の他側に幅方向Ｗに突設された断面略半円形の舗装係止部６を道路４もしくは歩道５に打設されるか、または道路４もしくは歩道５に敷設されたアスファルトもしくはコンクリートよりなる舗装材７に埋設したことにより、間隙Ｔに種子が入るのが防止されるとともに、仮に種子が間隙Ｔに入ることがあっても、埋込脚部２と、頭頂シール部３と、舗装係止部６とにより遮光して雑草が光合成により発育されるのを防止するという、前記説明と同様の構成、作用である。
【００３９】
＜第５施工例＞
図６は本実施形態の防草マットの第５施工例を示すものであり、本施工例では、道路４もしくは歩道５と、道路４もしくは歩道５の付帯物２０として、例えば縁石ブロック２０Ｅとの境界Ｋに本実施形態の防草マットを取付けるのには、道路４もしくは歩道５と、道路４もしくは歩道５の付帯物２０として、例えば縁石ブロック２０Ｅとの境界Ｋにカッタを用いて形成された数ｍｍ〜１ｃｍ程度の小幅であり、かつ数ｃｍのまた、舗装を新設する場合には、前述のように、カッタを用いて前記間隙Ｔを必ずしも形成するには及ばず、掘り起こされた状態の舗装個所内に、縁石ブロック２０に沿わせる間隙Ｔ内に、埋込脚部２を挿着すると、埋込脚部２の上端２ａの一側に水平方向Ｘに設けた頭頂シール部３は水平位置から埋込脚部２の延長線方向に弾性変形して延長されることにより、埋込脚部２と、この埋込脚部２の上端２ａに連設された頭頂シール部３と、前記埋込脚部２の他側に幅方向Ｗに突設されて道路４もしくは歩道５とに打設されるか、または道路４もしくは歩道５に敷設されたアスファルトもしくはコンクリートよりなる舗装材７に埋設された断面略半円形の舗装係止部６とにより間隙Ｔに種子が入るのが防止されるとともに、仮に間隙Ｔに種子が入った場合に、遮光して雑草が光合成により発育されるのが防止されるという、前記説明と同様の構成、作用を奏する。
【００４０】
＜実施形態２＞
また、図７に示すものは本発明の防草ブロックの実施形態２を示す。この実施形態２では、前記舗装係止部６が、前記埋込脚部２の上端２ａより僅かに低位にその上端が連設されたことにより、コンクリートまたはアスファルトよりなる前記舗装材７に所望厚さｔに前記舗装係止部６が埋設される構成であり、舗装係止部６の埋込脚部２に対する設置位置を異にしている点が前記実施形態１とは異なる構成である。
【００４１】
そして、本実施形態２では、頭頂シール部３の設置側とは反対側に埋込脚部２の上端２ａより僅かに低位にその上端が連設されたことにより、コンクリートまたはアスファルトよりなる前記舗装材７に所望厚さｔに前記舗装係止部６が埋設されて舗装係止部６の取付性を構造堅牢に確実になせる。しかも、舗装材７の打設時または敷設時に舗装係止部６の上端に到るまでの埋込脚部２の上端２ａからの高さ部分によってローラによる舗装材７の展圧作業や打設機による舗装材７の打設作業を容易かつ確実にして作業効率を向上させるとともに、綺麗な仕上がりにするようにしたほかは、道路４と歩道５との境界Ｋ、または、道路４もしくは歩道５と、道路４もしくは歩道５の付帯物２０との境界Ｋに挿着される埋込脚部２と、前記埋込脚部２の一側に前記道路４もしくは歩道５の一側に接設される頭頂シール部３と、前記埋込脚部２の他側に突設された舗装係止部６とにより、道路４と歩道５との境界Ｋ、または、道路４もしくは歩道５と、道路４もしくは歩道５の付帯物２０との境界Ｋおける付合わせ部分の間隙Ｋに、風雨により雑草の種子が入り込むのを防止し、遮光されて光合成されるのを邪魔し、雑草は生育を阻止し、除草作業を行わなくても済み、歩行者の歩行の邪魔になったり、景観を損ねることもないという、前記実施形態１と同様の構成、作用である。
【００４２】
＜実施形態３＞
また、図８に示すものは本発明の防草ブロックの実施形態３を示す。この実施形態３では、前記舗装係止部６が、前記頭頂シール部３の設置側とは反対側に、前記舗装材７に係止可能な係止部６ｂを先端に有し、前記埋込脚部２の略中程から斜め上方に向かい突設されている構成である。
【００４３】
そして、本実施形態３では、埋込脚部２の他側に突設された舗装係止部６が、前記道路４もしくは前記歩道５に打設されるか、または前記道路４もしくは前記歩道５に敷設されたアスファルトもしくはコンクリートよりなる舗装材７に埋設されて係止されるので、コンクリートやアスファルトよりなる舗装材７が、夏期の高温下、または冬期の低温下での外気の温度の影響を受けて膨張または収縮して、道路４と歩道５との境界、または、道路４もしくは歩道５と、道路４もしくは歩道５の付帯物との境界Ｋにおける付合わせ部分の間隙Ｔが徐徐に開いてしまうことがあっても、舗装係止部６が前記舗装材７に係止されるため、舗装係止部６が間隙Ｔが開くのに応じて弾性復元力を発揮し、伸長されることにより、前記舗装係止部６が、前記埋込脚部２と前記舗装材７との間に形成される間隙Ｔをシールし、遮光されるため、雑草が繁殖するのを容易かつ確実に防止される。この時、舗装材７の境界Ｋに接する側の端部は、舗装材７が固化されることにより頭頂シール部３の設置側とは反対側に埋込脚部２の略中程から斜め上方に向かい突設された舗装係止部６に囲まれる断面略Ｖ字状の食い込み部７ａが舗装係止部６に係止されるとともに、該舗装係止部６の先端に形成される係止部６ａが舗装材７に係止されるので、舗装材７に対する舗装係止部６の係止は強固かつ確実になるという独自な効果を有するほか、道路４と歩道５との境界Ｋ、または、道路４もしくは歩道５と、道路４もしくは歩道５の付帯物２０との境界における付合わせ部分の間隙Ｔに、風雨により雑草の種子が入り込むのを埋込脚部２と、頭頂シール部３と、この頭頂シール部３の設置側とは反対側に突設された舗装係止部６とにより防止し、雑草の種子がこの間隙内に入ることがあっても、埋込脚部２と、頭頂シール部３と、舗装係止部６とにより遮光されて光合成されるのを邪魔し、雑草の生育を阻止し、除草作業を行わなくても済み、歩行者の歩行の邪魔になったり、景観を損ねることもないという効果を奏する点は上記実施形態１および実施形態２と同様の構成、作用である。
【産業上の利用可能性】
【００４４】
本発明は、道路と歩道との境界、または、道路もしくは歩道と、道路もしくは歩道の付帯物との境界における間隙が変化しても雑草が生えるのを容易かつ確実に防止し、また、施工性が良く、構造が簡単で製作コストが安価になる用途・機能に適する。
【符号の説明】
【００４５】
１    マット本体
２    埋込脚部
２ａ  上端
３    頭頂シール部
４    道路
５    歩道
６    舗装係止部
６ａ  内空部
７    舗装材
８    接着層
Ｋ    境界
Ｔ    間隙
Ｗ    幅方向
【図１】
2011052510.tif 000003
【図２】
2011052510.tif 000004
【図３】
2011052510.tif 000005
【図４】
2011052510.tif 000006
【図５】
2011052510.tif 000007
【図６】
2011052510.tif 000008
【図７】
2011052510.tif 000009
【図８】
2011052510.tif 000010